(57)【要約】【課題】洗濯という家事において、洗濯の前工程である洗濯・脱水・乾燥まではかなり自動化・家事労働の負荷軽減が進んでいるが、後工程である物干し・取込・アイロン・折り畳み・収納という作業はほとんど負荷が軽減されていない。物干し以降の工程の負荷を軽減する手段を提供する。【解決手段】水平方向に伸縮する本体に複数のハンガーを吊り下げて整列させる。物干し時には本体を拡張して通風・日照を確保し、物干し終了後、被服を装着したまま一斉に幅を縮小し、クロゼットや洋服ダンスに収納する。物干し機能を有するともに収納スペースを効率的に利用する物干し・収納共用集合ハンガーであり、ハンガー取り付け角度を変えることで、陳列・展示・収納共用集合ハンガーとしても利用可能である。【選択図】図１
2011078608.tif 000002
【特許請求の範囲】
【請求項１】
四角形状ないし、これがふたつ組み合わさった８の字形状ないし、３つ以上組み合わさった形状の水平方向に回動可能な枠と、複数の被吊り下げ体を取り付ける取り付け座と、ハンガーパイプなどの被掛け体から吊るための吊り下げ具からなる複数被吊り下げ体吊り下げ機構。
【請求項２】
請求項１と、取り付け座に取り付けた複数の被服用ハンガーからなる複数被吊り下げ体吊り下げ機構。
【請求項３】
請求項１又は請求項２と、伸縮可能なハンガーパイプと、ハンガーパイプを固定し移動可能なキャスターを備えた支持柱からなる複数被吊り下げ体吊り下げ機構。
【請求項４】
請求項１又は請求項２又は請求項３の拡張・縮小の度合いを固定するための、枠の角度を枠を嵌める溝によって固定する固定具。
【請求項５】
請求項１又は請求項２又は請求項３の拡張・縮小の度合いを固定するための、枠の角度を突起の位置の選択によって固定する固定具。
【発明の詳細な説明】
【技術分野】
【０００１】
本発明は、洗濯物物干しおよび収納のための集合ハンガーに関する。
【背景技術】
【０００２】
洗濯物の物干しにおいて、物干し竿に吊り下げるリング状あるいは四角形のフレームからなる物干し用具が存在する。この用具は、複数の被服などの洗濯物をハンガーや洗濯ばさみで吊り下げて固定するものである。これを集合ハンガーと称することとする。
【先行技術文献】
【特許文献】
【０００３】
【特許文献１】実用新案登録第３１１２４４１号  物干しが楽になる装置
【特許文献２】特開−２００２−２１９２９８  ハンガー吊り下げ具
【特許文献３】特開−２００４−２０１８８０  洗濯物干し具
【発明の概要】
【発明が解決しようとする課題】
【０００４】
洗濯という家事において、洗濯機の発達により、洗濯の前工程である洗濯・脱水・乾燥までは自動化・家事労働の負荷軽減が進んでいる。一方、後工程である物干し・取込・アイロン・折り畳み・収納という作業の負荷は軽減していない。物干し以降の工程の負荷軽減を課題とする。
【０００５】
特許文献１では、屋内で複数の洗濯物をまとめてハンガーに掛けてから、屋外に持ち出すことを意図している。しかし、屋内でまとめてハンガーに掛けて屋外に持ち出すことは、すでに普及している集合ハンガーでも可能である。いずれもどの場所でハンガーに洗濯物を掛けるかの違いであって、洗濯の後工程の負荷軽減にはつながらない。また、被服を吊り下げた状態で横方向にパンタグラフ構造を拡張する際に、被吊り下げ体の重量が負荷となって拡張は容易ではない。さらに拡げた状態を維持するには強固なストッパーを使うなどして、縮小方向に働く重量負荷をとどめる工夫が必要になる。
【０００６】
特許文献２および３では、洗濯物取り込み時に、鴨居などに一時的に集合ハンガーを繋留することを意図している。しかしながら、被服をかけたまま収納用具としてハンガーパイプや壁付けフックにかけることも可能である。記述のとおり、平面上の空間は物干し時に比べて縮小できる。しかし次の３つの問題点がある。第一に、被服をかけて複数ハンガーを鉛直方向にずらして吊り下げるために、空間の高さを必要とする。第二に、鉛直方向に吊り下げるため、被服が重なり合い、被服の取り外しの際に互いの被服が邪魔になる。第三に、物干しを終えて屋内のフックなどに吊り替えるに際して、吊り下げ具を本体の中央部から端部へ移動ないし付け替えしなければならない。
【課題を解決するための手段】
【０００７】
本発明は、水平方向に伸縮する本体構造を持ち、複数のハンガーなどの被吊り下げ体を吊り下げて整列させるものである。これを複数被吊り下げ体吊り下げ機構と称する。物干し時には本体を拡張して通風・日照を確保し、物干し終了後、被服を装着したまま一斉に幅を縮小し、クロゼットや洋服ダンスに収納することができる。物干し機能を有するともに収納スペースを効率的に利用する収納ハンガーとなることで、上記課題を解決する。形状記憶素材などアイロン不要の衣類が増えてきたことにより、物干しハンガーのまま収納することが可能な衣類が増えていることも、本発明の有効性を高めている。    
【発明の効果】
【０００８】
本発明は、物干し後の被服を集合ハンガーにかけたまま収納するものである。これにより、洗濯の後工程のうちのハンガーからの衣類の取り外し、折り畳みないし収納用ハンガーへの架け替えという作業を減らし、家事労働負担の軽減という効果をもたらす。
【０００９】
本発明は従来技術に対して、次の３つの優位性を持つ。第一に、ハンガーの整列幅を縮小しても、高さ方向の占有空間の拡張が少ない、または全くない。第二に、被服を吊り下げた状態での水平方向の拡張・縮小に対して被服の重量負荷は中立的である。すなわち重量負荷が縮小ないし拡張方向に作用することがない。第三に、ハンガーが水平方向に一定の間隔で整列するため、被服が密着して重なり合うことがない。
【００１０】
本発明による集合ハンガーは、もうひとつの用途として、衣料品店店頭展示に有用である。衣料品店店頭でのハンガー吊りによる衣料品展示の際に、一斉に整列幅を均等に広げ、かつ吊りながらも商品の正面が見やすい状態を演出できる。一方、商品の収納や入れ替え時には、吊幅を縮小して、移動式ハンガーパイプでの可搬性を高めるとともに、ハンガーひとつひとつを移す手間がかからない収納が可能になる。
【００１１】
店頭展示用に有用な本発明による集合ハンガーは、一般家庭においても、吊り幅を拡張して被服を正面から見ることで選びやすくすると同時に、吊り幅を一斉に縮小して収納空間を節約することができる、という効用をもたらす。
【００１２】
店頭展示用に有用な本発明による集合ハンガーは、被服以外の薄い展示物や掲示物などを展示、収納する機能も有する。
【図面の簡単な説明】
【００１３】
【図１】物干し・収納共用集合ハンガー実施例（実施例１）を示した斜視図である。（実施例１）
【図２】物干し・収納共用集合ハンガーを全開で拡張した状態を見下ろした説明図である。（実施例１）
【図３】物干し・収納共用集合ハンガーを全閉で縮小した状態を見下ろした説明図である。（実施例１）
【図４】物干し・収納共用集合ハンガーの拡張した状態を横から見た説明図（a）および縮小した状態を横から見た説明図（ｂ）である。
【図５】物干し・収納共用集合ハンガーの吊り下げ具のもうひとつの形態を示す全開時の説明図である。
【図６】物干し・収納共用集合ハンガーの吊り下げ具のもうひとつの形態を示す全閉時の説明図である。
【図７】店頭展示用・家庭収納用途の集合ハンガーの全開時を上方から見下ろした説明図である。（実施例２）
【図８】集合ハンガーがハンガーパイプに移動用のキャスターを付けた被掛け体と一体となった形態を示す図である。（実施例３）全開時の斜視図（a）、全閉時の斜視図（ｂ）、全開時の機構を示す部分説明図（ｃ）、全閉時の機構を示す部分説明（ｄ）である。
【図９】本体枠の開閉の角度を固定するための溝型の固定具の部分説明図である。（実施例４）
【図１０】同じく、溝型の固定具の全閉時（a）、半開時（ｂ）、全開時（ｃ）の使用法を示す上方から見下ろした説明図である。（実施例４）
【図１１】本体枠の開閉の角度を固定するための突起型の固定具の部分説明図（ａ）、および全閉時（a）、半開時（ｂ）、全開時（ｃ）の使用法を示す上方から見下ろした説明図である。（実施例５）
【発明を実施するための形態】
【００１４】
本発明の集合ハンガーは、四角形状ないし、これがふたつ組み合わさった８の字形状ないし、３つ以上組み合わさった形状の水平方向に回動可能な枠と、複数のハンガーなどの取り付け座と、ハンガーパイプなどの被吊り下げ体から吊るための吊り下げ具から構成される。以下図１〜１０に基づいて実施例を説明する。
【実施例１】
【００１５】
図１は、本発明の構成を示し、代表的実施例である物干し・収納共用集合ハンガーの形態を示した斜視図である。
【００１６】
水平に８の字状に組まれた本体枠１内に、本体枠の一辺と平行する梁状の補助枠２を４本配置する。８の字状の本体枠１の両端部２箇所あるいは本体枠１が交差する中心部を含む３箇所に、物干し竿やハンガーパイプなどの被掛け体（図４符合６）から吊るすための吊り下げ具を設ける。
【００１７】
図２に示すとおり。本体枠１が結合して角度を持つ７箇所の支点１ｂ、および本体枠１と補助枠２が結合する支点８箇所２ａは水平方向に回動可能で、対角線方向に全体を一斉に拡張ないし縮小させる役割を果たす。
【００１８】
８の字の中心の交点を含む対角線に沿って取り付け座３が直線上に並ぶ。これによりハンガーを吊り下げる位置が直線上に配置される。
【００１９】
物干しの機能を果たすには、ハンガー同士が接触しないよう、各々の取り付け座３に対するハンガー４の平面上の取り付け角度を同一にし、ハンガー同士が常に平行になるようにする必要がある。
【００２０】
図２は、取り付け座３を設けた本体枠１ないし補助枠２に対して、ハンガー４の取り付け角度２が、仮に６０度である状態を示す。図２の状態は、最も全体が拡張したハンガー４同士が離れた全開状態、すなわち物干しの状態であるとする。この時、本体枠１が両端部で形成する角度１ａを４０度とすると、本体枠１の両端部を結ぶ対角線とハンガーとの角度は、角度２ａ６０度と、角度１ａ４０度の半分の２０度の合計８０度となる。
【００２１】
図３は、ハンガー４同士が近接した全閉の状態、すなわち収納の状態である。本体枠１が両端部で形成する角度１ａを仮に１４０度とすると、本体枠１の両端部を結ぶ対角線とハンガーとの角度は、角度２ａ６０度と、角度１ａ１４０度の半分の７０度の合計１３０度となる。
【００２２】
従って、全開時と全閉時のハンガー４の、本体枠１の両端部を結ぶ対角線に対する角度は、各々８０度と１３０度となる。よって集合ハンガーの拡張・縮小により、本体中心の交点を含む対角線に対して、ハンガーが５０度回動することになる。この角度の範囲であれば、収納時に空間をコンパクトに使う、あるいは物干し時に被服間の距離を離すという本来の目的を実現することが出来る。図１の状態は、全開と全閉の中間である半開の状態であり、襟のある被服、厚手の被服など、吊る際に近接させたくない場合に有効である。
【００２３】
図４は、集合ハンガーを被掛け体６である物干し竿に掛けて、全開で拡張した状態を横から見た図ａと、被掛け体６であるハンガーパイプなどに掛けて、全閉で縮小した状態を横から見た図ｂである。図４は、８の字状の本体枠１の両端部２箇所あるいは本体枠１が交差する中心部を含む３箇所に吊り下げ具を設ける形態を示す。
【００２４】
図５は、８の字状の本体枠１の両端部２箇所あるいは本体枠１が交差する中心部を含む３箇所に吊り下げ具を設ける形態以外の形態を示す。８の字状の本体枠１の両端部２箇所と、本体枠１が交差する中心部を含む３箇所に、本体枠４と吊り下げ具５の間に介在して両者をつなぐひも状、鎖状、ないし棒状のものを配する。図６は、この吊り下げ形状で全体を縮小した全閉状態、すなわち収納状態を示す。
【実施例２】
【００２５】
図７は、被服の店頭展示や一般家庭での収納用で、必ずしも物干しとの共用ではない場合の実施例２を示す。実施例１との主な違いは、平面上のハンガーの取り付け角度の違いにある。ハンガー取り付け座に対してほぼ平行、つまり零度の角度とする。これにより、全開時（ａ）には吊り下げた被服同士が直線に近い整列状態となり、一部重なりつつも複数の被服の正面を視覚的に確認しやすくなる。
【実施例３】
【００２６】
図８は、集合ハンガーがハンガーパイプに移動用のキャスターを付けた被掛け体と一体となった形態を示す。伸縮可能な被掛け体６に吊り下げ具５を伸縮に対応して移動可能な状態で取り付ける。そして集合ハンガー両端部には、支持柱７と結ぶひも状の、ないし鎖状の繋ぎの部材７ａを設置する。この伸縮する部材７ａは、被掛け体６が拡張しきる際に集合ハンガーを追随させ、集合ハンガーの拡張を誘導する。ハンガーパイプ自体が集合ハンガーと連動して伸縮する構造であれば、集合ハンガーの二つの効果、すなわち収納時に空間をコンパクトに使うという効能と正面から被服を見るという視認性に、移動性という３つ目の効能が付加され、店舗においても家庭においても有効である。移動性によって、収納場所から必要なものを引出して並べ、ハンガーパイプを拡げて見比べる、という使い方が可能になる。
【実施例４】
【００２７】
実施例１実施例２実施例３のいずれでも、集合ハンガーの拡張・縮小時にはその本体枠１の開閉角度を維持・固定する手段が必要となる。図９の実施例４は、その一例である。この固定具は、あらかじめ本体枠１の開閉角度に合わせた複数の溝とその溝を挟む山型の凸部８ａを持つ。これを仮に本体枠溝型固定具８と呼ぶ。図９（ｂ）は集合ハンガー中心部を下から見た図である。本体枠溝型固定具８は、集合ハンガーの中心部に上方から嵌め込む形で本体枠１の角度を固定する。角度８ｂは全閉ないし全開時の角度であり、角度８ｃは半開時の角度である。図１０は、本体枠溝型固定具８の、全開時の状態（ａ）、半開時の状態（ｂ）、全閉時の状態（ｃ）を示す。
【実施例５】
【００２８】
図１１の実施例５は、集合ハンガーの拡張・縮小時にその本体枠１の開閉角度を維持・固定する固定具の別の形態である。本体枠１の上方に、複数の突起９ａを設ける。交差するもう一方の本体枠１から突起９ａを嵌め込むことが可能な穴９ｂを穿った、上下に回動可能な固定具を設ける。本体枠１の拡張・縮小の角度にあわせて嵌め込む突起９ａを選択することで、本体枠１の角度を固定する。これを本体枠突起型固定具と呼ぶ。
【符号の説明】
【００２９】
１．本体枠
１ａ．本体枠角度
１ｂ．本体枠交差部分
２．補助枠
２ａ．本体枠と補助枠の交点
３．ハンガー取り付け座
３ａ．本体枠とハンガーの角度
４、ハンガー
５．吊り下げ具
６．被掛け体
７．支持柱
７ａ．支持柱と本体の結合部材
８．本体枠溝型固定具
８a．突起部
８ｂ．全開時全閉時の角度
８ｃ．半開時の角度
９．本体枠突起型固定具
９a．突起
９ｂ．突起固定穴
９ｃ．固定具回動支点
【図１】
2011078608.tif 000003
【図２】
2011078608.tif 000004
【図３】
2011078608.tif 000005
【図４】
2011078608.tif 000006
【図５】
2011078608.tif 000007
【図６】
2011078608.tif 000008
【図７】
2011078608.tif 000009
【図８】
2011078608.tif 000010
【図９】
2011078608.tif 000011
【図１０】
2011078608.tif 000012
【図１１】
2011078608.tif 000013